(57)【特許請求の範囲】
【請求項１】
筒状本体と、本体の上部前面に設けた操作部と、本体側面に回動自在に嵌着したハンドルと、本体上部に位置する蓋と、本体後部に設けられた前記蓋を回動自在に軸支するヒンジ部と、電源コードとを備えて構成された電気湯沸かし器を梱包し、電気湯沸かし器を収納する箱と、前記操作部を箱の第１の角部に位置させ、前記ヒンジ部を前記箱の第１の角部と対角の第２の角部に位置させて収納し、電気湯沸かし器の上部に位置すると共に上平面部に説明書を仮固定する爪を有する上当て板と、電気湯沸かし器の下部に位置する下当て板と、前記下当て板から前記操作部方向に伸設した保持部と、前記保持部から前記操作部と前記箱の相隣り合う二つの側面との間に伸設した前面保護フランジと、前記上当て板から前記電気湯沸かし器の前記ヒンジ部側左右の本体と前記箱の相隣り合う側面との間に伸設した後部保護フランジと、前記上当て板から前記箱の第３の角部近傍に伸設して先端部を外方に折り曲げたポケット部と前記箱の２つの側面とで形成した収納部とを有する電気湯沸かし器の梱包体。
【請求項２】
下当て板から伸設した保持部から操作部とハンドルの間に位置する隔離板を伸設する構成とした請求項１記載の電気湯沸かし器の梱包体。
【請求項３】
筒状本体と、本体の上部前面に設けた操作部と、本体側面に回動自在に嵌着したハンドルと、本体上部に位置する蓋と、本体後部に設けられた前記蓋を回動自在に軸支するヒンジ部と、電源コードとを備えて構成された電気湯沸かし器を梱包し、電気湯沸かし器を収納する箱と、前記操作部を箱の第１の角部に位置させ前記ヒンジ部を前記箱の第１の角部と対角の第２の角部に位置させて収納し、電気湯沸かし器の上部に位置すると共に上平面部に説明書を仮固定する爪を有する上当て板と、電気湯沸かし器の下部に位置する下当て板と、前記上当て板から前記操作部側の左右と箱の相隣り合う側面との間に伸設した一対の前部保護フランジと、前記上当て板から前記ヒンジ部側左右の本体と箱の相隣り合う側面との間に伸設した一対の後部保護フランジと、前記上当て板から前記箱の第３の角部近傍に伸設して先端部を外方に折り曲げたポケット部と前記箱の２つの側面とで形成した収納部とを有する電気湯沸かし器の梱包体。
【請求項４】
上当て板および下当て板を段ボール材で形成した請求項１または請求項２記載の電気湯沸かし器の梱包体。
【発明の詳細な説明】
【０００１】
【発明の属する技術分野】
本発明は主として一般家庭または事務所等で使用される電気湯沸かし器の梱包体に関するものである。
【０００２】
【従来の技術】
従来この種の電気湯沸かし器は図４に示すようであった。図４において１は電気湯沸かし器の本体であり、筒状をしている。本体は円筒状であったり角柱状であったりする。２は本体１上部から本体１前方に突き出した操作部である。操作部２には電気湯沸かし器の操作ボタン３や表示用のランプ４が設けてある。５は本体１上部に位置する蓋である。蓋５は本体１上部後方に突出したヒンジ部６に回動自在に嵌着されている。７は蓋５の開閉を行うロックつまみである。８は本体両側面に両端を回動自在に嵌着された略Ｕ字状のハンドルである。９は電気を供給する給電口である。１０は水位を確認するためのゲージ窓である。１１は給湯口でありここから湯を給湯する。
【０００３】
また、図５には図４に示すような電気湯沸かし器の従来の梱包の状態を示す。図５において、１２は段ボールをトムソン型で打ち抜いた後に折り曲げて形成した箱である。箱１２の底部はアメリカンフラップ１３と呼ばれる折り込み式で構成されている。上部フラップ１４は四方向から折り込み式構造となっている。１５は箱１２内面に当接する発泡スチロールで成形した角形で中央に前記本体１の底部形状に嵌合する形状の貫通穴１６を設けた下緩衝材である。１７は本体１上部の操作部２側を覆うとともに箱１２の内面に当接する前面リブ１８を伸設した発泡スチロールで形成された上前部緩衝材である。１９は本体１後部のヒンジ部６を覆うとともに箱１２の内面に当接する後部リブ２０を伸設した発泡スチロールで形成された上後部緩衝材である。前記上前部緩衝材１７には箱１２の角部に位置する部分に電源コード２１を収納する凹状のポケット２２が形成されている。
【０００４】
２３は梱包時に最後に上前部緩衝材１７と上後部緩衝材１９との上に載置する説明書である。
【０００５】
以上のように構成された電気湯沸かし器において、動作を説明する。まず、箱１２の底部のアメリカンフラップ１３を組み立てる。次に下緩衝材１５を箱１２内にセットする。本体１を下緩衝材１５の貫通穴１６に嵌合させる。このときハンドル８は上方向に位置させておく。次に本体１操作部２に上前部緩衝材１７をセットする。ハンドル８を上前部緩衝材１７側に傾けて上前部緩衝材１７上にかぶせる。次に上後部緩衝材１９を本体１ヒンジ部６側にセットする。説明書２３を上前部緩衝材１７と上後部緩衝材１９の上に載置する。最後に相対する上部フラップ１４を二組とも折り曲げて、のりで貼り合わせて封かんを完了する。
【０００６】
【発明が解決しようとする課題】
しかしながら、上記のような従来の構成では、上前部緩衝材１７と上後部緩衝材１９と下緩衝材１５とを発泡スチロールで形成するために梱包材の廃棄時に樹脂材を廃棄することとなり、焼却しなければならないといった問題がある。また発泡スチロールは約５０倍にも発泡するために回収時にかさばるために非効率的な回収となるといった問題があった。また、成形時には金型が必要であり生産時に金型費用とともに加工日程がかかるといった課題があった。
【０００７】
本発明は上記従来の問題点を解決するもので、緩衝材を板材で形成できる電気湯沸かし器の梱包体を提供し、生産コストを抑え、かつ、梱包材の廃棄時に樹脂材の廃棄、焼却をなくし、回収時にかさばらない梱包体を提供することを目的とする。
【０００８】
【課題を解決するための手段】
上記目的を達成するために本発明は、筒状本体と、本体の上部前面に設けた操作部と、本体側面に回動自在に嵌着したハンドルと、本体上部に位置する蓋と、本体後部に設けられた前記蓋を回動自在に軸支するヒンジ部と、電源コードとを備えて構成された電気湯沸かし器を梱包し、電気湯沸かし器を収納する箱と、前記操作部を箱の第１の角部に位置させ、前記ヒンジ部を前記箱の第１の角部と対角の第２の角部に位置させて収納し、電気湯沸かし器の上部に位置すると共に上平面部に説明書を仮固定する爪を有する上当て板と、電気湯沸かし器の下部に位置する下当て板と、前記下当て板から前記操作部方向に伸設した保持部と、前記保持部から前記操作部と前記箱の相隣り合う二つの側面との間に伸設した前面保護フランジと、前記上当て板から前記電気湯沸かし器の前記ヒンジ部側左右の本体と前記箱の相隣り合う側面との間に伸設した後部保護フランジと、前記上当て板から前記箱の第３の角部近傍に伸設して先端部を外方に折り曲げたポケット部と前記箱の２つの側面とで形成した収納部とで構成したものである。
【０００９】
これにより、緩衝材を板材で形成できる電気湯沸かし器の梱包材を提供することが出来る。従って、梱包材の廃棄時に樹脂材の廃棄、焼却をなくし、回収時にかさばらない梱包体を提供することができる。
【００１０】
【発明の実施の形態】
本発明の請求項１に記載の発明は、筒状本体と、本体の上部前面に設けた操作部と、本体側面に回動自在に嵌着したハンドルと、本体上部に位置する蓋と、本体後部に設けられた前記蓋を回動自在に軸支するヒンジ部と、電源コードとを備えて構成された電気湯沸かし器を梱包し、電気湯沸かし器を収納する箱と、前記操作部を箱の第１の角部に位置させ、前記ヒンジ部を前記箱の第１の角部と対角の第２の角部に位置させて収納し、電気湯沸かし器の上部に位置すると共に上平面部に説明書を仮固定する爪を有する上当て板と、電気湯沸かし器の下部に位置する下当て板と、前記下当て板から前記操作部方向に伸設した保持部と、前記保持部から前記操作部と前記箱の相隣り合う二つの側面との間に伸設した前面保護フランジと、前記上当て板から前記電気湯沸かし器の前記ヒンジ部側左右の本体と前記箱の相隣り合う側面との間に伸設した後部保護フランジと、前記上当て板から前記箱の第３の角部近傍に伸設して先端部を外方に折り曲げたポケット部と前記箱の２つの側面とで形成した収納部とを有する電気湯沸かし器の梱包体としたものであり、緩衝材を板材で形成できるという作用を有する。
【００１１】
請求項２に記載の発明は、下当て板から伸設した保持部から操作部とハンドルの間に位置する隔離板を伸設する構成としたものであり、ハンドルと操作部の接触を防止し接触による損傷を防止するという作用を有する。
【００１２】
請求項３に記載の発明は、筒状本体と、本体の上部前面に設けた操作部と、本体側面に回動自在に嵌着したハンドルと、本体上部に位置する蓋と、本体後部に設けられた前記蓋を回動自在に軸支するヒンジ部と、電源コードとを備えて構成された電気湯沸かし器を梱包し、電気湯沸かし器を収納する箱と、前記操作部を箱の第１の角部に位置させ前記ヒンジ部を前記箱の第１の角部と対角の第２の角部に位置させて収納し、電気湯沸かし器の上部に位置すると共に上平面部に説明書を仮固定する爪を有する上当て板と、電気湯沸かし器の下部に位置する下当て板と、前記上当て板から前記操作部側の左右と箱の相隣り合う側面との間に伸設した一対の前部保護フランジと、前記上当て板から前記ヒンジ部側左右の本体と箱の相隣り合う側面との間に伸設した一対の後部保護フランジと、前記上当て板から前記箱の第３の角部近傍に伸設して先端部を外方に折り曲げたポケット部と前記箱の２つの側面とで形成した収納部とを有する電気湯沸かし器の梱包体としたものであり、緩衝材を板材で形成するという作用を有する。
【００１３】
請求項４に記載の発明は、上当て板および下当て板を段ボール材で形成した構成としたものであり、梱包材を再生使用できる紙材料で形成するとともに充分な緩衝能力のある緩衝材とすることができるという作用を有する。
【００１４】
【実施例】
（実施例１）
以下に本発明の実施例１について、図１および図２を参照しながら説明する。本体１、操作部２、操作ボタン３、ランプ４、蓋５、ヒンジ部６、ロックつまみ７、ハンドル８、給電口９、ゲージ窓１０、給湯口１１、箱１２、アメリカンフラップ１３、上部フラップ１４、電源コード２１、説明書２３は従来の実施例と同一の形状と機能であり、同一の名称と符号を使用し説明は省略する。
【００１５】
３１は箱１２の第１の角部であり、本体１収納時には本体１の操作部２が位置する。３２は第２の角部であり、本体１収納時にはヒンジ部６が位置する。
【００１６】
３３は段ボールをトムソン型で打ち抜いて形成された上当て板であり、箱１２の内周に沿うように外周を形成されている。３４は上当て板３３の本体である上平面部である。３５は上平面部３４から折り曲げて下方に伸設した後部保護フランジであり、本体１のヒンジ部６近傍の箱１２の第２の角部３２を挟む第３の側面４０と第４の側面４９に当接してヒンジ部６および本体１後部を保護する。
【００１７】
３８は上平面部３４から第３の角部３９近傍に伸設して先端を外方に折り曲げたポケット部３８である。ポケット部３８と第２の側面３７と第３の側面４０とで電源を供給する電源コード２１を収納する収納部４１を形成している。
【００１８】
４２は上平面部３４に切り欠いて形成された第１の爪であり、説明書２３を第１の爪４２に引っかけて仮固定する。４３は上平面部３４を切り欠いて形成されたの第２の爪であり、第１の爪４２と同様の形状である。
【００１９】
４４は下当て板であり、下平面部４５の外周直線部４６が箱１２に当接する。第１の角部３１には下平面部４５から上方向に伸設した保持部４７が位置する。保持部４７からは本体１の操作部２近傍に前面保護フランジ４８を横方向に伸設する。前面保護フランジ４８は第２の側面３７と第１の側面３６に当接するとともに操作部２に当接して操作部２を保護する。５０は下平面部４５から上方向に伸設し第２の角部３２と第３の角部３９と第４の角部５１とに位置して本体１の下部を保護する固定板である。
【００２０】
５２は浄水フィルターであり、第２の側面３７と第３の側面４０と固定板５０とで形成された下収納部５３に収納される。浄水フィルター５２は本体１内にセットして湯沸かし時に浄水を行う。
【００２１】
５４は保持部４７から上方向に伸設した隔離板５４である。隔離板５４は操作部２の上面に折り曲げて当接させる。
【００２２】
５５は本体１を収納するポリ袋であり、本体１全体を包み込みほこり等から本体１を保護する。５６は前記第２の爪４３に仮止めする保証書である。
【００２３】
以上のように構成された電気湯沸かし器についてその動作を説明する。下当て板４４の保持部４７と固定板５０を上方向に折り曲げて箱１２内に収納する。このとき外周直線部４６が箱１２内面に当接して下当て板４４が回転しないようにする。保持部４７は第１の角部３１に位置して前面保護フランジ４８を第２の側面３７と第１の側面３６に接する。
【００２４】
次に本体１をポリ袋５５に収納して下当て板４４上に載置する。操作部２は第１の角部３１に位置し、ヒンジ部６は第２の角部３２に位置する。操作部２は前面保護フランジ４８に当接する。本体１下部は固定板５０に固定される。浄水フィルター５２を下収納部５３に収納する。
【００２５】
次に、操作部２の上面に保持部４７から隔離板５４を折り曲げて当接させる。本体１のハンドル８を回動して隔離板５４上に当接させる。このときハンドル８は隔離板５４には当接するが、操作部２との間には距離があり直接接することはない。従って輸送中や保存中にハンドル８と操作部２を含む本体１とが接して互いに傷つけ合うことはない。
【００２６】
次に、上当て板３３を本体１の上に位置するように箱１２内に収納する。ポケット部３８を第３の角部３９に先端を折り曲げて収納して収納部４１を形成する。後部保護フランジ３５を下方に折り曲げて第３の側面４０と第４の側面４９に接するように収納する。前記収納部４１に電源コード２１を収納する。
【００２７】
第１の爪４２に説明書２３を仮固定し、第２の爪４３に保証書５６を仮固定する。相対する二組の上部フラップ１４を折り畳んでのり付けする。
【００２８】
以上のように第１の実施例によれば、第１に本体１を上下方向と製品の側面全体から保護できる構成にするとともに、隔離板５４により操作部２とハンドル８が接しないようにして互いに傷つけ合わない構成にすることができる。第２に箱１２と上当て板３３と下当て板４４とをすべて段ボールで形成することができるので製品の保管および輸送に使用した後には回収して再使用することができる。第３に発泡スチロールはその加工工程でビーズの発泡に約１０ｍｍの幅の肉厚が必要であり、必然的に梱包全体の寸法が大きくなるが、段ボールで緩衝すると全体の寸法をより小さくすることができる。第４に段ボールの加工にはトムソン型のように比較的安価な装置で大量に生産できる加工工程を用いることができ、製品全体のコストを低減することができる。第５にトムソン型の加工は数日で可能であり、発泡スチロール型のように数週間も必要としない。以上のように資源の再使用が可能でコンパクトで生産コストを低減でき加工日程が短い構成の電気湯沸かし器の梱包を提供することが出来る。
【００２９】
（実施例２）
以下に本発明の実施例２について、図３を参照しながら説明する。本体１、操作部２、操作ボタン３、ランプ４、蓋５、ヒンジ部６、ロックつまみ７、ハンドル８、給電口９、ゲージ窓１０、給湯口１１、箱１２、アメリカンフラップ１３、上部フラップ１４、電源コード２１、説明書２３は従来の実施例と同一の形状と機能であり、同一の名称と符号を使用し説明は省略する。
【００３０】
６１は箱１２の第１の角部であり、本体１収納時には本体１の操作部２が位置する。６２は第２の角部であり、本体１収納時にはヒンジ部６が位置する。
【００３１】
６３は段ボールをトムソン型で打ち抜いて形成された上当て板であり、箱１２の内周に沿うように外形を形成されている。６４は上当て板６３の本体部分である上平面部である。６５は上平面部６４から折り曲げて下方に伸設した前部保護フランジであり、本体１の操作部２近傍の第１の側面６６と第２の側面６７に当接して操作部２を保護する。６８は上平面部６４から折り曲げて下方に伸設した後部保護フランジであり、本体１のヒンジ部６近傍の箱１２の第２の角部６２を挟む第３の側面６９と第４の側面７０に当接してヒンジ部６および本体１後部を保護する。
【００３２】
７１は上平面部６４から第２の側面６７と第３の側面６９に挟まれて形成された第３の角部７２近傍に伸設して先端を外方に折り曲げたポケット部である。ポケット部７１と第２の側面６７と第３の側面６９とで電源を供給する電源コード２１を収納する収納部７３を形成している。
【００３３】
７４は上平面部６４に切り欠いて形成された第１の爪であり、説明書２３を第１の爪７４に引っかけて仮固定する。７５は上平面部６４を切り欠いて形成された第２の爪であり、保証書７６を引っかけて仮固定する。
【００３４】
７７は下当て板であり、下当て板７７の本体部分である下平面部７８の外周直線部７９が箱１２に当接する。８０は下平面部７８から上方向に伸設した４枚の固定板であり、第１の角部６１において第１の側面６６と第２の側面６７とに当接し、第２の角部６２において第３の側面６９と第４の側面７０とに当接し、第３の角部７２において第２の側面６７と第３の側面６９とに当接し、第４の角部８１において第１の側面６６と第４の側面７０とに当接して本体１の下部を保護する。
【００３５】
８２は浄水フィルターであり、第２の側面６７と第３の側面６９と固定板８０とで囲まれて形成された下収納部８３に収納される。浄水フィルター８２は本体１内にセットして湯沸かし時に浄水を行う。
【００３６】
８４は本体１を収納するポリ袋であり、本体１全体を包み込みほこり等から本体１を保護する。
【００３７】
以上のように構成された電気湯沸かし器についてその動作を説明する。下当て板７７の固定板８０を上方向に折り曲げて箱１２内に収納する。このとき外周直線部７９が箱１２内面に当接して下当て板７７が回転しないようにする。本体１下部は固定板８０に固定される。
【００３８】
次に本体１をポリ袋８４に収納して下当て板７７上に載置する。操作部２は第１の角部６１に位置し、ヒンジ部６は第２の角部６２に位置する。浄水フィルター８２を下収納部８３に収納する。
【００３９】
次に、本体１のハンドル８を回動して操作部２近傍に位置させる。このときハンドル８は操作部２には直接当接しないので、操作部２との間には距離があり直接に接することはない。従って輸送中や保存中にハンドル８と操作部２とが接して互いに傷つけ合うことはない。
【００４０】
次に、上当て板６３を本体１の上に位置するように箱１２内に収納する。ポケット部７１を第３の角部７２に先端を折り曲げて収納して第２の側面６７と第３の側面６９とポケット部７１とで収納部７３を形成する。前部保護フランジ６５を下方に折り曲げて第１の側面６６と第２の側面６７とに接するように収納する。操作部２は前面保護フランジ６５により保護される。次に後部保護フランジ６８を下方に折り曲げて第３の側面６９と第４の側面７０とに接するように収納する。ポケット部７１の先端を外方に折り曲げて前記収納部７３を形成し収納部７３に電源コード２１を収納する。
【００４１】
第１の爪７４に説明書２３を仮固定し、第２の爪７５に保証書７６を仮固定する。上部フラップ１４を一対ずつ折り畳んでのり付けする。
【００４２】
以上のように第２の実施例によれば、第１に本体１を上下方向と製品の側面全体から保護できる構成することができる。第２に電気湯沸かし器は一般的にシリーズで生産されることが多くこのとき製品の高さのみが異なるが、製品の高さが異なってもすべての高さに対して同一の上当て板６３と下当て板７７とで対応することができ、梱包材が一種類で対応できる。第３に箱１２と上当て板６３と下当て板７７とをすべて段ボールで形成することができるので製品の保管および輸送に使用した後には回収して再使用することができる。また、第４に発泡スチロールはその加工工程でビーズの発泡に約１０ｍｍの幅の肉厚が必要であり、必然的に梱包全体の寸法が大きくなるが、段ボールで緩衝すると全体の寸法をより小さくすることができる。第５に段ボールの加工にはトムソン型のように比較的安価な装置で大量に生産できる加工工程を用いることができ、製品全体のコストを低減することができる。第６にトムソン型の加工は数日で可能であり、発泡スチロール型のように数週間も必要としない。以上のように一種類の梱包材で全てのシリーズに対応できて資源の再使用が可能でコンパクトで生産コストを低減でき加工日程が短い構成の電気湯沸かし器の梱包を提供することが出来る。
【００４３】
なお、第１の実施例及び第２の実施例では段ボールで上当て板と下当て板を形成したが、発泡性の緩衝素材で形成してもよく、要はトムソン型で抜き加工ができれば良い。
【００４４】
【発明の効果】
以上のように本発明によれば、緩衝材を板材で形成できる電気湯沸かし器の梱包を提供することができる。従って、従来問題であった梱包材の廃棄時に樹脂材の廃棄、焼却をなくし、生産コストを抑え、かつ、回収時にかさばらない梱包体を提供することができる。このように、環境に優しい梱包体を提供できるものである。
【図面の簡単な説明】
【図１】  本発明の実施例１を示す電気湯沸かし器の梱包状態の斜視図
【図２】  本発明の実施例１を示す電気湯沸かし器の梱包状態の断面図
【図３】  本発明の実施例２を示す電気湯沸かし器の梱包状態の斜視図
【図４】  従来の実施例を示す電気湯沸かし器の斜視図
【図５】  従来の実施例を示す電気湯沸かし器の梱包状態の斜視図
【符号の説明】
１          本体
２          操作部
５          蓋
６          ヒンジ部
８          ハンドル
３１、６１  第１の角部
３２、６２  第２の角部
３３、６３  上当て板
３５、６８  後部保護フランジ
４４、７７  下当て板
４７        保持部
４８、６５  前部保護フランジ
５４        隔離板
【図１】
0003649088.tif 000002
【図２】
0003649088.tif 000003
【図３】
0003649088.tif 000004
【図４】
0003649088.tif 000005
【図５】
0003649088.tif 000006